(57)【要約】【課題】  部品点数が少なく簡単な構成で安価でありながら施錠も可能なラッチ錠を提供する。【解決手段】  箱体１の開口部２を扉４で塞いだ状態で保持するラッチ錠である。前面側に操作用開口部３を有して扉４に取着される本体５と、箱体１に形成した係止部６に係止される被係止部７を有して係止部６に係止される位置と係止されない位置との間で移動自在に前記箱体１に支持されたラッチ部材８と、このラッチ部材８に基端側が着脱自在に取着されるとともに先端側が前記操作用開口部３に臨んで前記ラッチ部材８を前記係止部６に係止する位置と係止しない位置との間に操作するための操作部材９とを備える。【選択図】        図１
2005180108.tif 000002
【特許請求の範囲】
【請求項１】
箱体の開口部を扉で塞いだ状態で保持するラッチ錠であって、前面側に操作用開口部を有して扉に取着される本体と、箱体に形成した係止部に係止される被係止部を有して係止部に係止される位置と係止されない位置との間で移動自在に前記本体に支持されたラッチ部材と、このラッチ部材に基端側が着脱自在に取着されるとともに先端側が前記操作用開口部に臨んで前記ラッチ部材を前記係止部に係止する位置と係止しない位置との間に操作するための操作部材とを備えて成ることを特徴とするラッチ錠。
【請求項２】
本体に、前記操作部材を操作する直線方向の両側のうち、係止部から被係止部が外れる方向に操作部材を操作した際に該操作部材が接近する側に前面側から突出する取手部を形成して成ることを特徴とする請求項１記載のラッチ錠。
【請求項３】
取手部が、前記操作部材を係止部から被係止部が解錠される位置以上に操作したときに操作部材が当接するように前記操作用開口部に沿って形成してあることを特徴とする請求項１記載のラッチ錠。
【請求項４】
前記操作部材と前記ラッチ部材とに操作用開口部方向からの抜き差しにより操作部材をラッチ部材から着脱自在とする凹凸嵌合部を形成し、取手部の突出先端側に、前記操作部材が取手部に当接した状態で操作部材をラッチ部材から完全に抜くまでに操作部材の先端面が当接する抜止片を設けて成ることを特徴とする請求項３記載のラッチ錠。
【請求項５】
前記凹凸嵌合部が、操作部材の基端側に形成された凸部とラッチ部材に形成された凹部とで構成され、凹部が、被係止部を係止部に係止させた状態で、操作用開口部から見て少なくとも一部が抜止片で塞がれる位置に形成されたことを特徴とする請求項４記載のラッチ錠。
【請求項６】
操作部材が、取手部に当接したときにその一部が抜止片で塞がれない大きさに形成されたことを特徴とする請求項４又は請求項５記載のラッチ錠。
【発明の詳細な説明】
【技術分野】
【０００１】
本発明は、箱体の開口部を扉で塞いだ状態に保持するラッチ錠に関するものである。
【背景技術】
【０００２】
従来から分電盤や電気機器用キャビネット等において、その箱体の開口部を扉で塞いだ状態に保持するラッチ錠にあっては、ユーザの使用形態に応じて、簡単に扉を開くことができないように施錠機能を有するもの（例えば、特許文献１参照）が求められたり、あるいは、施錠機能がない低価格のもの（例えば、特許文献２参照）が求められたりしている。
【０００３】
これは、分電盤や電気機器用キャビネット等を例えば一般者の立ち入りが無い電気室に設置する場合には施錠が不要であり、一般者の出入がある事務所などに設置する場合には施錠が必要であるからである。
【０００４】
このようなユーザの使用形態に応じた要望に対応するため、従来にあっては、施錠機能のあるラッチ錠と、施錠機能の無いラッチ錠の２種類のラッチ錠を準備し、ユーザから急な変更要求があった場合、ラッチ錠自体を交換するようにしていた。
【０００５】
また、特許文献１に示されるような施錠機能付きの一種類のみで、施錠が必要な場合、施錠を必要でない場合の両方に対応することも考えられるが、従来の施錠機能付きのラッチ錠は施錠機構が複雑で部品点数が増えてコストが高くなり、施錠機能がない低価格のラッチ錠を求めるユーザに対して複雑な構成の施錠機能を組込んだ高価なラッチ錠を使用しなければならないという不合理があった。
【特許文献１】特開平１０−８８０８号公報
【特許文献２】特開平８−６０９２３号公報
【発明の開示】
【発明が解決しようとする課題】
【０００６】
本発明は上記の従来の問題点に鑑みて発明したものであって、部品点数が少なく簡単な構成で安価でありながら施錠も可能なラッチ錠を提供することを課題とするものである。
【課題を解決するための手段】
【０００７】
上記課題を解決するために本発明に係るラッチ錠は、箱体１の開口部２を扉４で塞いだ状態で保持するラッチ錠であって、前面側に操作用開口部３を有して扉４に取着される本体５と、箱体１に形成した係止部６に係止される被係止部７を有して係止部６に係止される位置と係止されない位置との間で移動自在に前記本体５に支持されたラッチ部材８と、このラッチ部材８に基端側が着脱自在に取着されるとともに先端側が前記操作用開口部３に臨んで前記ラッチ部材８を前記係止部６に係止する位置と係止しない位置との間に操作するための操作部材９とを備えて成ることを特徴とするものである。
【０００８】
このような構成とすることで、操作部材９を操作することで、ラッチ部材８の被係止部７を箱体１に形成した係止部６に係止したり、係止を解除して箱体１の開口部２を扉４で塞いだ状態を保持したり、あるいは保持を解除して扉４を開けることができる状態としたりするのであるが、被係止部７を係止部６に係止させた後、施錠を必要としない場合には操作部材９をラッチ部材８に取着したままの状態としておくことで、解錠状態にしておくことができ、施錠が必要な場合には、操作部材９をラッチ部材８から取り外すことで、施錠状態としておくことができる。
【０００９】
また、本体５に、前記操作部材９を操作する直線方向の両側のうち、係止部６から被係止部７が外れる方向に操作部材９を操作した際に該操作部材９が接近する側に前面側から突出する取手部１０を形成することが好ましい。
【００１０】
これにより、操作部材９を係止部６から被係止部７が外れる方向に操作した際、操作部材９と取手部１０とを親指と他の指で持ちながらそのまま前面側に引っ張ることで扉４を開くことができ、扉４を開くのが容易になるものである。
【００１１】
また、取手部１０が、前記操作部材９を係止部６から被係止部７が解錠される位置以上に操作したときに操作部材９が当接するように前記操作用開口部３に沿って形成してあることが好ましい。
【００１２】
このような構成とすることで、操作部材９と取手部１０とが当接した状態で扉４を開くことができるので、操作部材９がラッチ部材８から不用意に外れることがなく、操作部材９と取手部１０とを親指と他の指で持ちながらそのまま前面側に引っ張って扉４を開く操作がより確実且つ容易に行える。
【００１３】
また、前記操作部材９と前記ラッチ部材８とに操作用開口部３方向からの抜き差しにより操作部材９をラッチ部材８から着脱自在とする凹凸嵌合部１１を形成し、取手部１０の突出先端側に、前記操作部材９が取手部１０に当接した状態で操作部材９をラッチ部材８から完全に抜くまでに操作部材９の先端面が当接する抜止片１２を設けることが好ましい。
【００１４】
このような構成とすることで、操作部材９と取手部１０とが当接した状態では、操作部材９が確実に抜けないようにでき、扉４を開く操作がより確実且つ容易に行えるものである。
【００１５】
また、前記凹凸嵌合部１１が、操作部材９の基端側に形成された凸部１１ａとラッチ部材８に形成された凹部１１ｂとで構成され、凹部１１ｂが、被係止部７を係止部６に係止させた状態で、操作用開口部３から見て少なくとも一部が抜止片１２で塞がれる位置に形成されたことが好ましい。
【００１６】
このように、凹部１１ｂの少なくとも一部が抜止片１２により塞がれるので、操作部材９を取り外した施錠状態において、操作用開口部３から挿通させたドライバー等の治具の先端を凹部１１ｂに係合させ難くすることができ、不用意に解錠するのを防止できるものである。
【００１７】
また、操作部材９が、取手部１０に当接したときにその一部が抜止片１２で塞がれない大きさに形成されたことが好ましい。
【００１８】
このような構成とすることで、操作部材９を取手部１０に当接させる最終位置まで操作し易くなる。
【発明の効果】
【００１９】
本発明は、上記のように、ラッチ部材の係止、係止解除の操作をするためラッチ部材に備わっている構成部品である操作部材を着脱自在にするという簡単な構成で、施錠が必要でない場合、施錠が必要な場合のいずれにも対応でき、従来のような複雑で部品点数の多い施錠機構を特別に設けなくてもよく、また、施錠操作も操作部材を取り外すのみで施錠ができ、これにより施錠構造を単純化して施錠が容易で且つ安価なラッチ錠を提供できるものである。
【発明を実施するための最良の形態】
【００２０】
以下、本発明を添付図面に示す実施形態に基いて説明する。
【００２１】
図１乃至図３には本発明の一実施形態が示してある。
【００２２】
分電盤や電気機器用キャビネット等の箱体１には開口部２が設けてあり、該開口部２は扉４により塞いだり、オープンにしたりできるようになっている。扉４は例えば箱体１に回動自在に枢支してあるが、必ずしも枢支の例のみに限定されるものではない。
【００２３】
箱体１の開口部２の縁部分には係止部６が係止してあり、本実施形態では箱体１の開口部２の開口方向と直交する縁部がそのまま係止部６を構成している。
【００２４】
扉４には扉４で開口部２を閉じた状態で上記箱体１に設けた係止部６の側方となる部位に取付け孔が設けてあって該取付け孔に本体５が取着してある。この本体５は内部がラッチ部材収納用凹所１３となった箱状をしており、該ラッチ部材収納用凹所１３にはラッチ部材８が移動自在に収納してあり、本体５の一側面にラッチ部材収納用凹所１３に連通する側面開口１４が設けてある。ラッチ部材８は一側端部がテーパ状となった被係止部７となっていてラッチ部材８の移動により被係止部７が側面開口１４から外側方に向けて出没自在となっており、扉４で箱体１の開口部２を閉じた状態で側面開口１４から被係止部７を突出させることで、被係止部７を係止部６に係止するようになっている。
【００２５】
ここで、被係止部７の突出基部に被ストッパ部１５が設けてあり、側面開口１４から被係止部７が最大に突出した状態で上記被ストッパ部１５が側面開口１４の縁部のストッパ部１６に当接してそれ以上外に飛び出さないようになっている。また、ラッチ部材８の被係止部７を設けた方の端部と反対側の端部と、ラッチ部収納用凹所１３内の側面開口１４と対向する側の側面部との間にはばね１７が介在してあって常にラッチ部材８に被係止部７が側面開口１４から突出する方向（つまり施錠操作方向）のばね力を付与して、被係止部７を係止部６に係止した状態をばね１７により保持するようなっている。
【００２６】
箱状をした本体５の前面にはラッチ部材収納用凹所１３と連通する操作用開口部３が形成してあり、該操作用開口部３はラッチ部材８の移動方向に長い長孔となっている。本体５の操作用開口部３の側面開口１４を設けた側と反対側の端部（つまり、前記操作部材９を操作する直線方向の両側のうち、係止部６から被係止部７が外れる方向に操作部材９を操作した際に該操作部材９が接近する側の端部）付近から前方に向けて取手部１０が突出している。
【００２７】
ラッチ部材８には前方に向けて突出する操作部材９が着脱自在に取付けられ、ラッチ部材８に操作部材９を取付けた状態で操作部材９が上記操作用開口部３を貫通して前方に突出している。ここで、操作部材９と前記ラッチ部材８とには操作用開口部３方向からの抜き差しにより操作部材９をラッチ部材８から着脱自在とする凹凸嵌合部１１を形成してある。添付図面に示す実施形態では、操作部材９の後端部（基端部）に凸部１１ａを形成すると共にラッチ部材８の前面に上記凸部１１ａに嵌合自在な凹部１１ｂを形成することで、凹凸嵌合部１１が構成してあるが、ラッチ部材８の前面に凸部１１ａを形成し、操作部材９の後端部に凹部１１ｂを形成してもよい。
【００２８】
取手部１０には突出先端部に施錠方向に向けて抜止片１２が突設してあり、また、取手部１０の操作部材９と対向する面が当接面１０ａとなっている。
【００２９】
したがって、操作部材９を係止部６から被係止部７が外れる方向に係止が外れる以上操作することで取手部１０を当接面１０ａに当接することができるようになっている。この操作部材９が取手部１０に当接した状態で操作部材９の前面の少なくとも一部が抜止片１２により塞がれるようになっている。
【００３０】
使用に当たっては、操作部材９を凹凸嵌合部１１による嵌合でラッチ部材８に着脱自在に取付けた状態で、操作部材９を操作してラッチ部材８をばね１７に抗していったん後退させた状態で扉４を閉じて、扉４により開口部２を塞いだ状態で、ラッチ部材８を離すと、図１のようにばね１７のばね力でラッチ部材８の先端部の被係止部７が箱体１側の係止部６に係止し、扉４で箱体１の開口部２を閉じた状態が保持される。
【００３１】
施錠が必要でない場合は、このまま操作部材９を凹凸嵌合部１１によりラッチ部材８に取付けたままの状態としておく。そして、扉４を開く時には図２に示すように、操作部材９が被係止部７が係止部６から外れる方向に移動させ、操作部材９を取手部１０の当接面１０ａに当接した状態で、操作部材９と取手部１０とを親指と他の指で持ちながらそのまま前面側に引っ張ることで扉４を開くものであり、係止解除操作と扉４の開き操作とが指の持ち替えなく一連の連続した動作できるので、扉４を容易に開くことができる。
【００３２】
この場合、操作部材９が取手部１０に当接した状態で操作部材９の前面の少なくとも一部が抜止片１２により塞がれるようになっているので、操作部材９と取手部１０とを指で持って引っ張って扉４を開く操作を行う際に、凹凸嵌合部１１の嵌合が不用意に外れて操作部材９がラッチ部材８から前方抜け、扉４を開く操作がし難くなるというようなおそれがなくなり、容易に扉４の開き操作ができるものである。
【００３３】
また、操作部材９が被係止部７が係止部６から外れる方向に移動させ、操作部材９を取手部１０の当接面１０ａに当接した状態で図２に示すように操作部材９の前面は一部のみが抜止片１２により塞がれ、他の一部である被係止部７が係止部６に係止する方向側の端部が塞がれないで露出するようにすると、操作部材９を取手部１０の当接面１０ａまで当接させる最終位置まで操作し易くなる。
【００３４】
一方、施錠が必要な場合には、上記した被係止部７を係止部６に係止させた係止状態で、操作部材９を前方に引いて凹凸嵌合部１１による嵌合を解除することで図３のように、操作部材９をラッチ部材８から引き抜くことで施錠状態とするものであり、このように操作部材９を引き抜くと、扉４の前面側からラッチ部材８を操作するための操作部材９が取り外してあるため、ラッチ部材８を扉４の前面側から操作することができず、したがって、被係止部７が係止部６に係止された施錠状態となるものである。施錠状態から施錠を解除して扉４を開く場合は、本体５の前方から操作用開口部３に操作部材９の後端部を挿入して操作部材９の後端部の凸部１１ａをラッチ部材８の凹部１１ｂに嵌合することでラッチ部材８に操作部材９を取付け、この状態で操作部材９を指で操作して前述のようにして被係止部７を係止部６から解除して扉４を開くものである。
【００３５】
このように、ラッチ部材８を操作するための操作部材９を着脱するだけで、施錠が必要でない場合、施錠が必要な場合の両方に対応することができるものである。
【００３６】
次に、図４乃至図７に基いて本発明の他の実施形態につき説明する。本実施形態は基本的構成が前述の図１乃至図３の実施形態と同じであり、重複する構成、作用の説明については省略し、異なる構成を中心に説明する。
【００３７】
図４は施錠が必要でない場合において被係止部７が係止部６に係止され、操作部材９がラッチ部材８に凹凸嵌合部１１により取付けてある状態が示してある。図５は操作部材９をラッチ部材８に取付けた状態で操作部材８をばね１７に抗して被係止部７が係止部６がずれる方向に移動した状態を示している。また、図５は施錠が必要な場合において操作部材９をラッチ部材８から外した状態を示している。
【００３８】
本実施形態においては、操作部材９をラッチ部材８に着脱自在に取付けるための取付け手段を構成する凹凸嵌合部１１が、操作部材９の基端側に形成された凸部１１ａとラッチ部材８に形成された凹部１１ｂとで構成してあり、図４に示すように、凹部１１ｂが、被係止部７を係止部６に係止させた状態で、操作用開口部３から見て（つまり前方から見て）少なくとも上記凹凸嵌合部１１の一部（図４、図６に示すものでは凹凸嵌合部１１の全部）が抜止片１２で塞がれる位置に形成してあり、図７に示すように、操作部材９を取り外した施錠状態において、操作用開口部３から挿通させたドライバー等の治具３０の先端を凹部１１ｂに係合させ難くすることができるものであり、不用意に解錠するのを防止できる。
【００３９】
図４乃至図７に示す実施形態では、操作部材９の基端側に形成される凸部１１ａが操作部材９の被係止部７が係止部６との係止が解除される操作方向側の面（当接面１０ａと対向する面）の後端部から更に被係止部７が係止部６との係止が解除される操作方向で且つ後方に向けて被係止部７が突設してあり、また、被係止部７が係止部６に係止した状態で凹部１１ｂの一部又は全部が操作用開口部３から見て抜止片１２により塞がれるように位置している。そして、操作部材９は操作用開口部３の前方から図６（ｂ）の実線に示す矢印のように移動させることで、凸部１１ａを凹部１１ｂに嵌合し、また、操作部材９の係合を解除して取り外す際には図６の破線で示す矢印のように操作部材９を動かして前方に引き抜いて取り外すものであり、これにより被係止部７を係止部６に係止して操作部材９を取外した施錠状態において、ラッチ部材８に設けた凹部１１ｂの少なくとも一部又は全部が抜止片１２により塞がれるようにしたものであっても、操作部材９の凸部１１ａをラッチ部材８の凹部１１ｂに嵌合したり、外したりできるようにしてある。
【００４０】
図８には本発明の更に他の実施形態が示してある。前述の実施形態では被係止部７が係止部６に係止した状態をばね１７により保持するようにした例を示し、操作部材９を取手部１０に当接した状態ではばね１７により操作部材９を被係止部７を係止部６に係止する方向にばね付勢した例を示してが、本実施形態では、ばね１７により被係止部７を係止部６に係止した状態を保持し、更に、ばね１７により操作部材９を取手部１０に当接した状態を保持するようにしてある。
【００４１】
すなわち、本体５の後面部の操作用開口部３の一端部側付近にはばね１７が設けてあり、図８ではばね１７を構成する板ばねの前端部が本体５の後面部に固着してある。また、本体５の後面部の両側には側壁部２０が設けてあり、側壁部２０間にラッチ部材８が軸２１により回動自在に取付けてある。ラッチ部材８の操作用開口部３に臨む部分は円弧状部２２となっており、円弧状部２２に操作部材９が凹凸嵌合部１１により着脱自在に取付けてあり、操作部材９は取付け状態で操作用開口部３を貫通して操作用開口部３の前方に突出している。ラッチ部材８のばね１７に面する側と反対側の面で且つ円弧状部２２と軸２１を中心にして反対方向の端部に被係止部７が形成してあり、操作部材９を操作してラッチ部材８を回動することで、被係止部７を箱体１に形成した係止部６に係止したり、あるいは、逆に回動することで、被係止部７を係止部６から係止解除するようになっている。
【００４２】
更に、ラッチ部材８のばね１７に面する側の面にく字状をした当面部２３、２４が設けてある。そして、ラッチ部材８を図８（ａ）のように被係止部７が係止部６に係止した状態で、ばね１７が一方の当面部２３に弾接して被係止部７が係止部６に係止した状態を保持し、また、ラッチ部材８を逆方向に回動してばね１７が他方の当面部２４に弾接して被係止部７が係止部６に係止した状態を保持するようになっている。ここで、操作部材９を操作してラッチ部材８を何れの方向に回動操作しても、ばね１７の弾接部分が当面部２３、２４の境界であるく字状部の頂点を越すと、ラッチ部材８の操作力を解除してもばね１７力で自動的に操作回動方向にラッチ部材８が移動するもので、これにより被係止部７の係止部６への係止及び係止解除が容易且つ確実に行えるものである。
【００４３】
本実施形態において、図８（ａ）は施錠が必要でない場合における被係止部７が係止部６に係止され、操作部材９がラッチ部材８に凹凸嵌合部１１により取付けてある状態が示してある。図８（ｂ）は操作部材９をラッチ部材８に取付けた状態で被係止部７が係止部６がずれる方向に移動した状態を示している。また、図８（ｃ）は施錠が必要な場合において操作部材９をラッチ部材８から外した状態を示しており、前述の各実施形態と同様に施錠が必要でない場合と施錠が必要である場合の何れの場合も操作部材９を着脱するだけで対応できる。この点についてはすでに前述の各実施形態で説明しており、説明が重複するので省略する。また、取手部１０、抜止片１２、操作部材９の関係、あるいは、抜止片２１、凹凸嵌合部１１の関係は前述の各実施形態と同様であり、説明が重複するので省略する。
【図面の簡単な説明】
【００４４】
【図１】本発明の一実施形態の被係止部が係止部に係止している状態を示し、（ａ）は平面図であり、（ｂ）は断面図である。
【図２】同上の被係止部が係止部から係止解除された状態を示し、（ａ）は平面図であり、（ｂ）は断面図である。
【図３】同上の施錠が必要な場合において操作部材を取り外して施錠をしている状態を示し、（ａ）は平面図であり、（ｂ）は断面図である。
【図４】本発明の他の実施形態の被係止部が係止部に係止している状態を示し、（ａ）は平面図であり、（ｂ）は断面図である。
【図５】同上の被係止部が係止部から係止解除された状態を示し、（ａ）は平面図であり、（ｂ）は断面図である。
【図６】同上の施錠が必要な場合において操作部材を取り外して施錠をしている状態を示し、（ａ）は平面図であり、（ｂ）は断面図である。
【図７】同上のドライバーのような治具を操作用開口部から挿入しても凹部に嵌め込み難いことを説明するための断面図である。
【図８】本発明の他の実施形態を示し、（ａ）は被係止部が係止部に係止している状態の断面図であり、（ｂ）は被係止部が係止部から係止解除された状態を示す断面図であり、（ｃ）は施錠が必要な場合において操作部材を取り外して施錠をしている状態を示す断面図である。
【符号の説明】
【００４５】
１  箱体
２  開口部
３  操作用開口部
４  扉
５  本体
６  係止部
７  被係止部
８  ラッチ部材
９  操作部材
１０  取手部
１１  凹凸嵌合部
１１ａ  凸部
１１ｂ  凹部
１２  抜止片
【図１】
2005180108.tif 000003
【図２】
2005180108.tif 000004
【図３】
2005180108.tif 000005
【図４】
2005180108.tif 000006
【図５】
2005180108.tif 000007
【図６】
2005180108.tif 000008
【図７】
2005180108.tif 000009
【図８】
2005180108.tif 000010